(57)【要約】【課題】泡を均一に形成することができる泡形成装置、およびポンプ式泡出し容器を提供すること。【解決手段】前記課題を解決するための手段は、筒体３２と、前記筒体３２内に設けられる流体混合手段３３とを備えてなり、前記流体混合手段３３は、前記筒体３２内に供給される液体流および気体流の流れ方向を変換し、前記液体流および気体流を交差させることを特徴とする泡形成装置３１である。【選択図】          図２
2005313110.tif 000002
【特許請求の範囲】
【請求項１】
筒体と、前記筒体内に設けられる流体混合手段とを備えてなり、
前記流体混合手段は、前記筒体内に供給される液体流および気体流の流れ方向を変換し、前記液体流および気体流を交差させる
ことを特徴とする泡形成装置。
【請求項２】
前記流体混合手段は、前記筒体内に前記流れ方向に延びて配置された複数の案内板を備えてなり、
前記複数の案内板は、前記流れ方向に対してねじれて形成されてなるねじれ部をそれぞれ有する
ことを特徴とする前記請求項１記載の泡形成装置。
【請求項３】
前記筒体は、前記液体流および気体流が供給される供給口と、前記液体流および気体流が排出される排出口とを有し、
前記複数の案内板は、前記供給口から筒体中央部にかけて配置される供給口側案内板と、前記筒体中央部から前記排出口にかけて配置される排出口側案内板とを備えてなり、
前記供給口側案内板および排出口側案内板は、前記筒体中央部側に前記ねじれ部をそれぞれ有する
ことを特徴とする前記請求項２記載の泡形成装置。
【請求項４】
前記筒体には、前記供給口および前記排出口の少なくともいずれか一方に、前記供給口および前記排出口を覆う網体が設けられている
ことを特徴とする前記請求項３記載の泡形成装置。
【請求項５】
前記請求項１〜請求項４のいずれか１項に記載の泡形成装置を備えてなる
ことを特徴とするポンプ式泡出し容器。
【発明の詳細な説明】
【技術分野】
【０００１】
本発明は、泡形成装置、およびポンプ式泡出し容器に関する。
【背景技術】
【０００２】
シャンプー、ハンドソープ及びシェービング剤等の発泡性液体と空気とを吐出させるポンプ式泡出し容器が一般的に使用されている。このポンプ式泡出し容器として、以下のようなものが挙げられる。
【０００３】
このポンプ式泡出し容器として、例えば、「容器口部に冠着した蓋体に固定された同心の空気用シリンダと液用シリンダとから成る二重シリンダに、該二重シリンダ内をそれぞれ軸方向に上下動し且つスプリングの弾性により上方へ付勢されている大径の空気用ピストンと小径の液用ピストンとから成るピストン体を内設して空気室と液室とを形成させ、該空気室と該液室とを連通させる混合室を両室の上方に設けると共に該混合室と該両室とをそれぞれ連通させる空気通路及び液通路をそれぞれ空気用ピストン内及び液用ピストン内に設け、該混合室の下流側の泡通路を横断してシート状の多孔体を配設し、該液室下端には容器底部まで延びる吸液管を取付けると共に該液室内が負圧時に開口する第１逆止弁を設け、前記空気用ピストンには前記空気室が負圧時に開口して空気室外の空気を吸引する第２逆止弁を設けると共に外周面の下部に前記空気用シリンダの内面を上下に摺動する環状の摺動シール部を設け、該摺動シール部が摺動する前記空気用シリンダの摺動シリンダ部の上部に、容器のヘッドスペース部内へ空気を導入する空気孔を設け、前記ピストン体の上部を前記蓋体を貫通して上方に延出させると共に該ピストン体の上端には泡通路を有するノズル体を固着させた該ノズル体が前記スプリングの弾性に抗して蓋体に係合可能なポンプ式泡出し容器において、前記ピストン体の内部に形成される液通路内に、該ピストン体の上下動に伴って強制的に所定量上下動させられる棒状弁体を設け、しかも前記液室内には前記液通路内に密嵌入できる上部円筒部を有すると共に内面側で該棒状弁体と係合して該棒状弁体の上下動する量を制限する筒状係止体を設けることによって、該捧状弁体は、前記ピストン体が上限位置まで上昇している時には、その上部で前記液通路の前記混合室側出口を閉鎖すると共にその下部で前記筒状係止体と係合して上動を阻止され、また前記ノズル体が前記蓋体に係合し、前記ピストン体が下限位置まで下降している時には、前記液用ピストンの前記液通路を形成する部分に密嵌入した前記筒状係止体の上部円筒部内に密嵌入して下動を阻止されていると共に前記液通路を閉鎖し、さらに前記ピストン体が下降中には、前記液通路及び前記液通路の前記混合室側出口の閉鎖を解除する様になっており、また前記空気用ピストンの外周部には、前記摺動シール部の上方に所定間隔を置いて前記摺動シリンダ部の空気孔を閉鎖し得る大きさ及び形状の環状シール部を設けると共に前記摺動シール部を該空気孔を閉鎖し得る大きさ及び形状のものと成し、しかも前記所定間隔は、前記ピストン体が上限位置まで上昇している時には、前記空気用ピストン下部の前記摺動シール部が前記空気孔を閉鎖し、一方、前記ノズル体が蓋体に係合し、前記ピストン体が下限位置まで下降している時には、前記空気用ピストン上部の前記環状シール部が前記空気孔を閉鎖する様になる間隔であり、さらに前記空気用シリンダの前記摺動シリンダ部の上方部分には、前記ピストン体が上限位置と下限位置との間の少なくとも一定範囲の位置にある時に、前記空気用ピストン上部の前記環状シール部との間で空気が通過し得る間隙を形成する空気通路形成部が設けられていることを特徴とするポンプ式泡出し容器。」が提案されている（特許文献１参照）。
【０００４】
【特許文献１】実開平６−７０８５４号（請求項１、段落番号[００４３]、図１〜図３）
【０００５】
この特許文献１記載のポンプ式泡出し容器においては、発泡性の液体から細かい均質な泡を形成する網体が、埋め込まれてなる。そして、特許文献１記載のポンプ式泡出し容器においては、この網体に液体と空気の混合物を通過させることにより、泡を形成していた。
【０００６】
この網体を用いるポンプ式泡出し容器においては、発泡性の液体の成分によっては、網体に液体の成分が目詰まりを起こし、泡が均一に形成されないという問題点があった。
【０００７】
なお、特許文献１記載のポンプ式泡出し容器のような形態のポンプ式泡出し容器においては、例えば、容器の内径２５ｍｍ以下のような比較的、細い容器の場合には、液体と空気との容積比を１：１０以上にすることは、網体の目の大きさによっては、圧力損失が大きくなりすぎて、技術的に困難であるという場合もある。
【発明の開示】
【発明が解決しようとする課題】
【０００８】
本発明は、このような従来の問題点を解消し、泡を均一に形成することができる泡形成装置、およびポンプ式泡出し容器を提供することをその課題とする。
【課題を解決するための手段】
【０００９】
前記課題を解決するための手段は、筒体と、前記筒体内に設けられる流体混合手段とを備えてなり、前記流体混合手段は、前記筒体内に供給される液体流および気体流の流れ方向を変換し、前記液体流および気体流を交差させることを特徴とする泡形成装置である。
【００１０】
この発明に係る泡形成装置の好適な態様において、前記流体混合手段は、前記筒体内に前記流れ方向に延びて配置された複数の案内板を備えてなり、前記複数の案内板は、前記流れ方向に対してねじれて形成されてなるねじれ部をそれぞれ有する。
【００１１】
この発明に係る泡形成装置の好適な態様において、前記筒体は、前記液体流および気体流が供給される供給口と、前記液体流および気体流が排出される排出口とを有し、前記複数の案内板は、前記供給口から筒体中央部にかけて配置される供給口側案内板と、前記筒体中央部から前記排出口にかけて配置される排出口側案内板とを備えてなり、前記供給口側案内板および排出口側案内板は、前記筒体中央部側に前記ねじれ部をそれぞれ有する。
【００１２】
この発明に係る泡形成装置の好適な態様において、前記筒体には、前記供給口および前記排出口の少なくともいずれか一方に、前記供給口および前記排出口を覆う網体が設けられている。
【００１３】
前記課題を解決するための別の手段は、前記泡形成装置を備えてなることを特徴とするポンプ式泡出し容器である。
【発明の効果】
【００１４】
本発明によれば、筒体と、前記筒体内に設けられる流体混合手段とを備えてことにより、前記流体混合手段は、前記筒体内に供給される液体流および気体流の流れ方向を変換し、前記液体流および気体流を交差させるので、液体流と気体流とが接触し、液体と気体とが混合するから、泡を均一に形成することができる。
【００１５】
また、本発明によれば、前記流体混合手段は、前記筒体内に前記流れ方向に延びて配置された複数の案内板を備えてなり、前記複数の案内板は、前記流れ方向に対してねじれて形成されてなるねじれ部をそれぞれ有することにより、ねじれ部が、前記筒体内に供給される液体流および気体流の流れ方向を変換するので、前記液体流および気体流を交差させることができる。さらに、例えば、比較的、細い容器の場合には、液体と空気との容積比を１：１０以上にすることは、網体の目の大きさによっては、圧力損失が大きくなりすぎて、技術的に困難であるという場合もあったが、流体混合手段が上記のような構成を備えていることで、網体を使用せず、泡を形成するので、細い容器においても泡を形成することができる。
【００１６】
さらに、本発明によれば、前記複数の案内板は、前記供給口から筒体中央部にかけて配置される供給口側案内板と、前記筒体中央部から前記排出口にかけて配置される排出口側案内板とを備えてなり、前記供給口側案内板および排出口側案内板は、前記筒体中央部側に前記ねじれ部をそれぞれ有することにより、前記筒体中央部側に有るねじれ部によって、前記筒体中央部で液体流および気体流の流れ方向の変換が生ずる。すると、前記筒体中央部で、前記液体流および気体流を交差させるので、液体流と気体流とが接触し、液体と気体とが混合する。したがって、前記筒体中央部で、液体と気体とが混合するから、より一層、均一に泡を形成することができる。
【００１７】
そして、本発明によれば、前記筒体には、前記供給口および前記排出口の少なくともいずれか一方に、前記供給口および前記排出口を覆う網体が設けられていることにより、使用する液体の成分が網体に目詰まりを起こさない場合には、この網体を液体および気体が通過することによって、より細かな泡を形成することができる。
【００１８】
また、本発明によれば、ポンプ式泡出し容器は、前記泡形成装置を備えてなることにより、上記と同様の作用・効果を奏することができる。
【発明を実施するための最良の形態】
【００１９】
以下、本発明の実施の形態を図面に基づいて説明する。
［ポンプ式泡出し容器］
図１は、本発明に係るポンプ式泡出し容器の全体断面図である。また、図２は、本発明に係るポンプ式泡出し容器の部分断面図である。なお、図２において、左半分が、ノズル体を押圧する前の各ピストンが上限位置にある状態を示し、右半分がノズル体を使用時における下限位置まで押し下げた状態を示している。
【００２０】
ポンプ式泡出し容器１は、前進および後進させることにより泡状物を吐出するノズル体を備えたポンプ式泡出し容器であり、容器本体２と、容器本体２の開口端側に固定される開口フランジ３と、容器本体２内に固定されるノズル体４と、開口フランジ３に取り付けられるオーバーキャップ５とを備えて成る。
【００２１】
容器本体２は、透明樹脂製であり、円筒形状を有している。なお、容器本体２の開口端外周表面には、開口フランジ３と嵌合可能な溝が形成されている。開口フランジ３は、底面部６と、底面部６から垂直方向に形成されて成る側壁部７とを一体に形成されて成る。底面部６は、その中心部分に貫通孔６Ａを有する。この貫通孔６Ａ内をノズル体４が動作することになる。また、側壁部７の内周表面には、前述した容器本体２の溝と嵌合可能な溝が形成されて成る。
【００２２】
前記ノズル体４は、ノズル体用ボタン４Ａと、二重シリンダ８と、空気用ピストン９と、液用ピストン１０とを備えてなる。ノズル体用ボタン４Ａは、二重シリンダ８と接触し、空気用ピストン９および液用ピストン１０を前進および後進させる。また、ノズル体用ボタン４Ａ内には、形成された泡状物を通過させる通路が形成されている。二重シリンダ８は、空気用シリンダ１１と、液用シリンダ１２とを同軸に、かつ一体に形成されて成る。
【００２３】
空気用シリンダ１１は、円筒形状である。空気用シリンダ１１の開口端縁内周面には、後述する空気用シリンダ摺動シール部２２の後進方向の動作を係止する係止部１３が形成されてなる。係止部１３は、空気用シリンダ１１の中心軸方向に向かって立設形成されてなる。また、空気用シリンダ１１の開口端縁側壁面には、容器本体２内と空気用シリンダ１１内の気体が流通する貫通孔１１Ａが形成されている。貫通孔１１Ａは、空気用シリンダ１１外周面から内周面に向かって縮径するように形成されて成る。
【００２４】
空気用シリンダ１１内には、円筒形状の外側ステム１４および内側ステム１５が設けられている。外側ステム１４は、内側ステム１５の外周を囲むように同軸に設けられ、中心部分が中空である外側ステム通路１４Ａとなっている。また、内側ステム１５も、中心部分が中空である内側ステム通路１５Ａとなっている。
【００２５】
外側ステム１４内の一端には、中心にいくほど縮径するボール弁座１６が形成されている。このボール弁座１６には、ボール弁１７が設けられている。このボール弁１７の材質は、特に制限はないが、本実施形態においては、ステンレス製である。また、外側ステム１４外周壁のボール弁座１６近傍には、外部の空気が通過する貫通孔１８が形成されている。
【００２６】
一方、液用シリンダ１２は、中心部分が中空の円筒形状であり、空気用シリンダ１１よりもその内径が小さい。前記液用シリンダ１２内には、付勢部材１９が配設されている。付勢部材１９は、らせん状に形成されたスプリングである。
【００２７】
また、液用シリンダ１２には、後述する液用シリンダ摺動シール部２３の後進を係止する係止部材２０が、液用シリンダ１２周縁に設けられている。係止部材２０は、液用シリンダ１２の内壁および外壁を挟み込むようにして、固定されてなる。液用シリンダ１２の下部には、透明樹脂製のパイプ２１が設けられている。
【００２８】
空気用ピストン９は、前記空気用シリンダ１１の内壁を摺動する空気用シリンダ摺動シール部２２を備え、前記空気用シリンダ１１内を前進および後進する。
【００２９】
空気用シリンダ摺動シール部２２は、断面視略、円筒形状に形成されている。また、空気用シリンダ摺動シール部２２は、空気用シリンダ１１の内壁との接触面が凹形状に形成され、空気用シリンダ１１の内壁を２点で点接触する。
【００３０】
液用ピストン１０は、中心部分が中空の円筒形状である液用ピストン本体１０Ａと、液用ピストン本体１０Ａの外周に設けられる液用シリンダ摺動シール部２３を備え、かつ泡形成装置３１を備え、前記空気用ピストン９を前記空気用シリンダ１１内で後進させることにより内部に液を取り込む。
【００３１】
液用ピストン１０Ａは、中心軸が中空である液用ピストン通路１０Ｂを有している。液用ピストン１０の下部には、ボール弁２６が設けられている。ボール弁２６の材質は、特に制限はないが、本実施形態においては、ステンレス製である。
【００３２】
液用シリンダ摺動シール部２３は、液用シリンダ１２に配設された付勢部材１９により液用シリンダ１２内から脱出するように付勢され、液用シリンダ１２の内壁を摺動する。液用シリンダ摺動シール部２３は、断面視略、円筒形状に形成されている。また、液用シリンダ摺動シール部２３は、液用シリンダ１２の内壁との接触面が凹形状に形成され、液用シリンダ１２の内壁を前進・後退方向（図中、上下方向）の２点で点接触する。
【００３３】
泡形成装置３１は、空気用ピストン９を前記空気用シリンダ１１内で前進させることにより前記空気用シリンダ１１内の空気と液用シリンダ１２内の液とを混合する。泡形成装置３１は、外側ステム１４の後退方向側（図中、上方向）の開口端に形成されて成る空間である。
【００３４】
泡形成装置３１は、筒体３２と、前記筒体３２内に設けられる流体混合手段３３とを備えてなる。なお、図３は、泡形成装置の正面図である。また、図４は、泡形成装置の側面図である。さらに、図５は、泡形成装置の下面図である。
【００３５】
筒体３２は、略円筒形状であり、外側ステム１４の後退方向側（図中、上方向）の開口端側に固定されている。筒体３２は、前記液体流および気体流が供給される供給口３２Ａ（図中、下側）と、前記液体流および気体流が排出される排出口３２Ｂ（図中、上側）とを有している。
【００３６】
流体混合手段３３は、前記筒体３２内に供給される液体流および気体流の流れ方向を変換し、前記液体流および気体流を交差させる手段である。なお、本実施形態においては、液体流および気体流の流れ方向と、筒体３２の軸方向とは一致している。
【００３７】
流体混合手段３３は、筒体３２内に前記流れ方向に延びて配置された複数の案内板３４を備えてなることが好ましい。
【００３８】
複数の案内板３４は、供給口３２Ａから筒体中央部３２Ｃにかけて配置される供給口側案内板３４Ａと、前記筒体中央部３２Ｃから前記排出口３２Ｂにかけて配置される排出口側案内板３４Ｂとを備えてなる（特に、図４参照）。
【００３９】
また、複数の案内板３４は、前記流れ方向に対してねじれて形成されてなるねじれ部３５をそれぞれ有する。
【００４０】
供給口側案内板３４Ａおよび排出口側案内板３４Ｂは、筒体中央部３２Ｃ側に前記ねじれ部３５をそれぞれ有する。
【００４１】
ねじれ部３５は、流れ方向に対してねじれて形成されていればよく、ねじれる角度については、特に制限はなく、目的とする、形成する泡の径、形成する泡の量に応じて、適宜設定される。
【００４２】
なお、前記筒体３２には、供給口３２Ａおよび排出口３２Ｂの少なくともいずれか一方に、供給口３２Ａおよび排出口３２Ｂを覆う網体３６が設けられていることが好ましい。本実施形態においては、前記筒体３２には、供給口３２Ａおよび排出口３２Ｂの両方に、網体３６が設けられている。
【００４３】
また、網体３６の目の大きさは、目的とする、形成する泡の径、形成する泡の量に応じて、適宜設定される。
【００４４】
[ポンプ式泡出し容器の動作]
図１〜図５を参照して、ポンプ式泡出し容器１の動作を以下に説明する。
【００４５】
[ノズル体４の前進（図２中、ノズル体４の下降）時の動作（１）]
まず、ポンプ式泡出し容器１を使用する際には、オーバーキャップ５を取り外す。そして、ノズル体用ボタン４Ａを押し込む。すると、ノズル体用ボタン４Ａに押された空気用シリンダ摺動シール部２２および外側ステム１４が押し込まれる。
【００４６】
そして、空気用シリンダ摺動シール部２２により、空気用シリンダ１１内の容積が圧縮される、すなわち空気用シリンダ１１内の圧力が高まった状態となる（図２中、左半分に示す状態から右半分に示す状態へと変化する）。この際、空気用シリンダ摺動シール部２２とノズル体用ボタン４Ａとの隙間から外部の空気が入り込む。入り込んだ空気は、貫通孔１８を通るため、ボール弁１７が、外側ステム通路１４Ａを開放することとなる。
【００４７】
また、空気用シリンダ摺動シール部２２が前進することで、貫通孔１１Ａが開放される。この際、空気用シリンダ１１外部の圧力とポンプ式泡出し容器１外の圧力（大気圧）が同じである。そして、容器本体２内の圧力が空気用シリンダ１１外部の圧力よりも低い場合に、貫通孔１１Ａを通って、ポンプ式泡出し容器１外の空気が容器本体２内へ流通する。そして、容器本体２内の圧力は、ポンプ式泡出し容器１外の圧力（大気圧）と同様に保たれることとなる。
【００４８】
一方、外側ステム１４が押し込まれたことで、内側ステム１５、液用ピストン１０、および液用シリンダ摺動シール部２３が前進方向に押し込まれることとなる。そして、液用ピストン１０に配設された付勢部材１９が圧縮される（図２中、左半分に示す状態から右半分に示す状態へと変化する）。
【００４９】
[ノズル体４の後進（図２中、ノズル体４の上昇）時の動作（２）]
次に、圧縮された付勢部材１９がノズル体４の後進方向（図２中、ノズル体４の上昇方向）に液用ピストン１０を付勢する。すると、液用ピストン１０内の容積が増加することで、液用ピストン１０内が、減圧される。そして、液用ピストン１０内が減圧されたことで、ボール弁２６が浮き上がり、液用ピストン本体１０Ａの液用ピストン通路１０Ｂを開放することとなる。
【００５０】
そして、容器本体２に収納された液体が液用ピストン本体１０Ａ内に引き込まれることとなる。液用ピストン本体１０Ａ内に引き込まれた液体は、内側ステム通路１５Ａ、外側ステム通路１４Ａに充填される（図２中、右半分に示す状態から左半分に示す状態へと変化する）。
【００５１】
このノズル体４の後進（図２中、ノズル体４の上昇）の際、空気用シリンダ摺動シール部２２は、係止部１３と接触することで、係止される。また、液用シリンダ摺動シール部２３は、係止部材２０と接触することで、係止される。
【００５２】
[ノズル体４の再度の前進（図２中、ノズル体４の下降）時の動作（３）]
次に、液体が、内側ステム通路１５Ａ、外側ステム通路１４Ａに充填された状態から、再度、ノズル体用ボタン４Ａを押し込む。すると、ノズル体用ボタン４Ａに押された空気用シリンダ摺動シール部２２および外側ステム１４が押し込まれる。そして、空気用シリンダ摺動シール部２２により、空気用シリンダ１１内の容積が圧縮される。この際、空気用シリンダ摺動シール部２２とノズル体用ボタン４Ａとの隙間から外部の空気が入り込む。入り込んだ空気は、貫通孔１８を通るため、ボール弁１７が、外側ステム通路１４Ａを開放することとなる（図２中、左半分に示す状態から右半分に示す状態へと変化する）。
【００５３】
そして、開放された外側ステム通路１４Ａから液体が、押し出される。押し出された液体は、空気が充満した泡形成装置３１において、空気と混合する。具体的には、以下のように作用する。
【００５４】
[泡形成装置の作用]
ここで、図６は、本発明に係る泡形成装置の作用を示す概念図である。流体混合手段３３は、筒体３２内に供給される液体流および気体流の流れ方向を変換し、液体流Ａおよび気体流Ｂ（本実施形態においては、空気）を交差させるので、液体流Ａと気体流Ｂとが接触し、液体と気体とが混合するから、泡を均一に形成することができる。
【００５５】
より具体的には、筒体中央部３２Ｃ側に有るねじれ部３５によって、前記筒体中央部３２Ｃで液体流Ａおよび気体流Ｂの流れ方向の変換が生ずる。すると、前記筒体中央部３２Ｃで、前記液体流Ａおよび気体流Ｂを交差させるので、液体流Ａと気体流Ｂとが接触し、液体と気体とが混合する。上記のように、液体と気体（空気）とが混合され、泡が形成される。
【００５６】
形成された泡は、ノズル体用ボタン４Ａ内の通路を通って、ポンプ式泡出し容器１外へ放出される。
【００５７】
以降、ポンプ式泡出し容器は、以上説明した動作（１）〜動作（３）を繰り返すこととなる。
【００５８】
上述のような本実施形態によれば、次のような効果がある。
（１）流体混合手段３３により、液体流Ａと気体流Ｂとが接触し、液体と気体とが混合するから、泡を均一に形成することができる。
【００５９】
（２）ねじれ部３５が、前記筒体３２内に供給される液体流Ａおよび気体流Ｂの流れ方向を変換するので、前記液体流Ａおよび気体流Ｂを交差させることができる。さらに、例えば、比較的、細い容器の場合には、液体と空気との容積比を１：１０以上にすることは、網体の目の大きさによっては、圧力損失が大きくなりすぎて、技術的に困難であるという場合もあったが、流体混合手段３３が上記のような構成を備えていることで、網体３６を使用せず、泡を形成するので、細い容器においても泡を形成することができる。
【００６０】
（３）筒体中央部３２Ｃ側に有るねじれ部３５によって、筒体中央部３２Ｃで液体流Ａおよび気体流Ｂの流れ方向の変換が生ずる。すると、筒体中央部３２Ｃで、液体流Ａおよび気体流Ｂを交差させるので、液体流Ａと気体流Ｂとが接触し、液体と気体とが混合する。したがって、筒体中央部３２Ｃで、液体と気体とが混合するから、より一層、均一に泡を形成することができる。
【００６１】
（４）筒体３２には、供給口３２Ａおよび排出口３２Ｂの両方に、網体３６が設けられていることにより、使用する液体の成分が網体３６に目詰まりを起こさない場合には、この網体３６を液体および気体が通過することによって、より細かな泡を形成することができる。
【００６２】
なお、本発明は、前記実施形態に限定されるものではなく、本発明の目的を達成できる範囲での変形、改良は、本発明に含まれるものである。
【図面の簡単な説明】
【００６３】
【図１】図１は、本発明に係るポンプ式泡出し容器の全体断面図である。
【図２】図２は、本発明に係るポンプ式泡出し容器の部分断面図である。
【図３】図３は、本発明に係る泡形成装置の正面図である
【図４】図４は、本発明に係る泡形成装置の側面図である。
【図５】図５は、本発明に係る泡形成装置の下面図である。
【図６】図６は、本発明に係る泡形成装置の作用を示す概念図である。
【符号の説明】
【００６４】
１    ポンプ式泡出し容器
２    容器本体
３    開口フランジ
４    ノズル体
５    オーバーキャップ
６    底面部
６Ａ    貫通孔
７    側壁部
８    二重シリンダ
９    空気用ピストン
１０    液用ピストン
１０Ａ    液用ピストン本体
１０Ｂ    液用ピストン通路
１１    空気用シリンダ
１１Ａ    貫通孔
１２    液用シリンダ
１３    係止部
１４    外側ステム
１４Ａ    外側ステム通路
１５    内側ステム
１５Ａ    内側ステム通路
１６    ボール弁座
１７    ボール弁
１８    貫通孔
１９    付勢部材
２０    係止部材
２１    パイプ
２２    空気用シリンダ摺動シール部
２３    液用シリンダ摺動シール部
２６    ボール弁
３１    泡形成装置
３２    筒体
３２Ａ    供給口
３２Ｂ    排出口
３２Ｃ    筒体中央部
３３    流体混合手段
３４    案内板
３４Ａ    供給口側案内板
３４Ｂ    排出口側案内板
３５    ねじれ部
３６    網体
【図１】
2005313110.tif 000003
【図２】
2005313110.tif 000004
【図３】
2005313110.tif 000005
【図４】
2005313110.tif 000006
【図５】
2005313110.tif 000007
【図６】
2005313110.tif 000008